(57)【要約】      （修正有）【課題】着脱可能であり、警告効果を備えた防寒用手袋を提供する。【解決手段】防寒用手袋は、表地１０及び裏地２０を有し、表地は、一体成形の５つの表地指部１１１と、表地手の甲部１１２と、表地手首１１３を備える表地本体と、表地本体の裏面に設置される少なくとも１つの第一接着部１２と、表地本体に設置される警告部材１５とを有し、裏地は、表地の内部に嵌め込まれ、外面が表地本体の裏面と接触するように表地本体の内部に装着される裏地本体２１と、第一接着部と対応するように、裏地本体の表面に設けられる少なくとも１つの第二接着部２２とを備えるものである。【選択図】図２
0003195540.tif 000002
【実用新案登録請求の範囲】
【請求項１】
一体成形の５つの表地指部と、表地手の甲部と、表地手首を備える表地本体と、該表地本体の裏面に設置される少なくとも１つの第一接着部と、該表地本体に設置される警告部材とを有する表地と、
前記表地の内部に嵌め込まれ、外面が表地本体の裏面と接触するように表地本体の内部に装着される裏地本体と、第一接着部と対応するように、該裏地本体の表面に設けられる少なくとも１つの第二接着部とを備える裏地と、を有することを特徴とする防寒用手袋。
【請求項２】
前記表地における、表地手の甲部から表地手首にかけてチャックが取り付けられることを特徴とする請求項１に記載の防寒用手袋。
【請求項３】
前記表地に７つの第一接着部が設けられ、その内、５つの第一接着部がそれぞれ表地指部の裏面に設置され、２つの第一接着部が表地手首の裏面の相対する側に設置されることを特徴とする請求項２に記載の防寒用手袋。
【請求項４】
前記第一接着部及び第二接着部は、面ファスナーのフック及びループであることを特徴とする請求項３に記載の防寒用手袋。
【請求項５】
前記警告部材が反射テープであることを特徴とする請求項１乃至４の何れか１項に記載の防寒用手袋。
【請求項６】
前記表地における表地手首の近傍の開口に閉じ部が設けられ、
前記警告部材は、表地手首の表面の閉じ部の近傍に設けられることを特徴とする請求項５に記載の防寒用手袋。
【請求項７】
前記表地における表地手首の近傍の開口に透明状の閉じ部が設けられ、前記警告部材はＬＥＤライドラインであり、表地手首の表面の閉じ部の内部に設けられること特徴をとする請求項１乃至４の何れか１項に記載の防寒用手袋。
【考案の詳細な説明】
【技術分野】
【０００１】
本考案は、特に簡単に着脱できる、警告効果を備えた防寒用手袋に関するものである。
【背景技術】
【０００２】
寒冷地などの降雪量が多い地域や国では、雪が沢山降ると、除雪道具を用いて除雪する必要があり、その時には手が凍傷にならないように、防寒用手袋を装着するのが一般的である。また、氷や冷凍魚などの低温のものを搬送する時にも、手の凍傷を防ぐために、防寒用手袋を用いている。
【０００３】
図６及び図７に示すように、既存の防寒用手袋は、表地８０及び裏地９０を備え、該表地８０は通常、防寒効果や断熱効果に優れた熱伝導性の低いゴムからなり、該表地８０の開口近傍に縫合部８１が形成され、一方裏地９０は表地８０の内部に設置され、吸湿性を有する洗濯しやすい棉などの材質からなり、表地８０の形と同一に表地８０に嵌め込まれ、該裏地９０における、縫合部８１と対応する箇所に結合部９１が形成され、その表地８０の縫合部８１と裏地９０の結合部９１とを縫合することにより防寒用手袋となる。
【考案の概要】
【考案が解決しようとする課題】
【０００４】
しかしながら、既存の防寒用手袋の結合部９１と縫合部８１とは縫合されていることから、洗濯する時、裏地９０を表地８０から取り外すことができないので、手袋を裏返さなければ裏地９０を洗濯することができない。また、既存の防寒用手袋を装着する時は、表地８０と裏地９０とを取り外すことができないことから、手が手袋をかぶりにくて抜いてもにくいので、使用上非常に不便であった。
【０００５】
さらに、既存の防寒用手袋は、警告効果を有しないことから、夜間や暗所において工事や除雪作業を行っている時に、他人から見えにくいので、事故などの危険性があった。
【課題を解決するための手段】
【０００６】
本考案にかかる防寒用手袋は、
一体成形の５つの表地指部と、表地手の甲部と、表地手首を備える表地本体と、該表地本体の裏面に設置される少なくとも１つの第一接着部と、該表地本体に設置される警告部材とを有する表地と、
前記表地の内部に嵌め込まれ、外面が表地本体の裏面と接触するように表地本体の内部に装着される裏地本体と、第一接着部と対応するように、該裏地本体の表面に設けられる少なくとも１つの第二接着部とを備える裏地と、を有するものである。
【０００７】
かかる防寒用手袋において、前記表地における、表地手の甲部から表地手首にかけてチャックが取り付けられることが好ましい。
【０００８】
かかる防寒用手袋において、前記表地に７つの第一接着部が設けられ、その内、５つの第一接着部がそれぞれ表地指部の裏面に設置され、２つの第一接着部が表地手首の裏面の相対する側に設置されることが好ましい。
【０００９】
かかる防寒用手袋において、前記第一接着部及び第二接着部は、面ファスナーのフック及びループであることが好ましい。
【００１０】
かかる防寒用手袋において、前記警告部材が反射テープであることが好ましい。
【００１１】
かかる防寒用手袋において、前記表地における表地手首の近傍の開口に閉じ部が設けられ、前記警告部材は、表地手首の表面の閉じ部の近傍に設けられることが好ましい。
【００１２】
かかる防寒用手袋において、前記表地における表地手首の近傍の開口に透明状の閉じ部が設けられ、前記警告部材はＬＥＤライドラインであり、表地手首の表面の閉じ部の内部に設けられることが好ましい。
【考案の効果】
【００１３】
上述した構造によれば、本考案の手袋には以下のメリットを有する。
１. 裏地の第二接着部が表地の第一接着部に接着されることによって、裏地を着脱可能に表地に組み合わせることができるので、裏地を表地から取り外して洗濯することができる。
２. また、その表地本体に警示部１５が設置されていることから、夜間または暗所において工事を行っても、他人から見えるので、安全性を向上できる。
３. さらに、表地本体にチャック１３が設置されていることから、手のサイズに応じてチャック１３を調整しながら防寒用手袋を手に装着することができ、手のサイズが異なる使用者も用いることができる。
【図面の簡単な説明】
【００１４】
【図１】本考案に係る防寒用手袋の第一実施例の斜視図である。
【図２】本考案に係る防寒用手袋の第一実施例の分解斜視図である。
【図３】図１の３−３線の断面図である。
【図４】本考案に係る防寒用手袋の第二実施例の斜視図である。
【図５】本考案に係る防寒用手袋の第二実施例の分解斜視図である。
【図６】既存の防寒用手袋の斜視図である。
【図７】図６の７−７線の断面図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１乃至図３に示すように、本考案に係る防寒用手袋の第一実施例は、表地１０及び裏地２０を有する。
【００１７】
前記表地１０は、表地本体１１と、少なくとも１つの第一接着部１２と、チャック１３と、閉じ部１４と、警告部材１５を有し、その内、該表地本体１１は、ゴムからなり、一体成形の５つの表地指部１１１と、表地手の甲部１１２と、表地手首１１３を備え、該第一接着部１２は、表地本体１１の裏面に設置される。尚、本実施例における表地１０は、７つの第一接着部１２を備え、すなわち、５つの表地指部１１１の裏面にそれぞれ第一接着部１２が設置されると共に、表地手首１１３の裏面の相対する側にもそれぞれ第一接着部１２が設置され、それらの第一接着部１２は、面ファスナーであってもよい。また、表地手の甲部１１２から表地手首１１３にかけて前記チャック１３が設けられるので、表地１０の開口のサイズを調整することができる。更に、前記閉じ部１４は、表地手首１１３の近傍の開口に設けられ、該警告部材１５は、表地手首１１３の表面における腕部１４の近傍に設けられ、その警告部材１５は、反射テープである。
【００１８】
前記裏地２０は、表地１０の内部に組み合わせられ、裏地本体２１及び少なくとも１つの第二接着部２２を備え、そのうち裏地本体２１は、表地本体１１の内部に設置され、該裏地本体２１の外面が表地本体１１の裏面と接触し、一体成形の５つの裏地指部２１１と、裏地手の甲部２１２と、裏地手首２１３とを備え、一方、第二接着部２２は、第一接着部１２の位置または形状と対応するように、裏地本体２１の表面に設けられるので、前記第二接着部２２は、着脱可能に第一接着部１２に接着される。尚、その第一接着部１２及び第二接着部２２は、面ファスナーのフック及びループであってもよい。
【００１９】
図１及び図２に示すように、本考案に係る防寒用手袋を使用する時は、裏地２０の第二接着部２２と表地１０の第一接着部１２とが接着される構造であることか、裏地２０を表地１０に組み合わせ、そして、手のサイズに応じてチャック１３を調整しながら手を開口から防寒用手袋に嵌め込めばよい。また、チャック１３を有することから、手のサイズの異なる使用者であっても、開口を自由に調整できるので、防寒用手袋を簡単に装着することができ、更に、その裏地２０を表地１０から取り外すことができることから、簡単に洗濯することができ、その上、表地本体１１に警告部材１５が設けられることから、夜間または暗所において工事を行っても他人から見えるので、安全性が向上する。
【００２０】
図４及び図５に示すように、本考案に係る防寒用手袋の第二実施例は、殆ど第一実施例と同一であるが、閉じ部１４が透明であると共に、警告部材１５ＡがＬＥＤライトラインである点において異なり、該警告部材１５は、閉じ部１４の内部に環装され、そのＬＥＤライトラインから放出した光は、透明状の閉じ部１４を透過して防寒用手袋から外部へ放たれるので、警告の効果を有する。
【符号の説明】
【００２１】
１０    表地
１１    表地本体
１１１  表地指部
１１２  表地手の甲部
１１３  表地手首
１２    第一接着部
１３    チャック
１４    閉じ部
１５、１５Ａ  警告部材
２０    裏地
２１    裏地本体
２２    第二接着部
２１１  裏地指部
２１２  裏地手の甲部
２１３  裏地手首
２２    第二接着部
８０    表地
８１    縫合部
９０    裏地
９１    結合部
【図１】
0003195540.tif 000003
【図２】
0003195540.tif 000004
【図３】
0003195540.tif 000005
【図４】
0003195540.tif 000006
【図５】
0003195540.tif 000007
【図６】
0003195540.tif 000008
【図７】
0003195540.tif 000009